(57)【要約】【課題】商品を販売する機会を逃さないで商品を販売することができる商品販売システムを提供する。【解決手段】商品販売システムは、位置情報を用いて無線通信を行う店頭端末と、携帯端末と通信するＥＣサーバと、情報を保存するデータベースと、店頭端末とＥＣサーバとに通信を行う携帯端末とを備える。店頭端末は販売商品を通知する商品紹介通知手段と位置情報を送信する位置情報通知手段とを有する。携帯端末は位置情報を要求する位置情報要求手段と販売商品の商品情報を要求する商品情報要求手段と購入希望商品等の情報を送信する購入希望商品送信手段と購入が完了した完了情報を送信する購入完了手段とを有する。ＥＣサーバは商品情報等を送信する商品情報送信手段と受取店舗情報と購入情報とを送信する受取情報送信手段と各種情報を保存するデータベース管理手段とを有する。データベースは各種の前記情報を保存する情報保存手段を有する。【選択図】図１
2007328422.tif 000002
【特許請求の範囲】
【請求項１】
無線通信で使用する位置情報と販売商品の紹介情報とを有する店頭端末と、インターネットを経由して前記販売商品の商品情報を含む情報を携帯端末と通信するＥＣサーバと、前記ＥＣサーバが通信を行う前記情報を保存するデータベースと、前記店頭端末から前記無線通信により前記位置情報を取得すると共に、前記ＥＣサーバから前記インターネットを経由して前記販売商品の商品情報を含む情報を取得して前記ＥＣサーバと通信を行う携帯端末とを備え、
前記店頭端末は、
前記販売商品の紹介情報を通知する商品紹介通知手段と、
前記携帯端末から前記店頭端末の前記位置情報の要求に対応し、自店頭端末の位置する前記位置情報を前記携帯端末へ前記無線通信により送信する位置情報通知手段とを有し、
前記携帯端末は、
前記販売商品の紹介情報を通知する前記店頭端末に対し、前記店頭端末の前記位置情報を前記無線通信により要求する位置情報要求手段と、
前記店頭端末から前記位置情報を取得すると共に、当該位置情報を取得した状態で、インターネットを経由して、前記販売商品の紹介情報に対応する前記販売商品の商品情報を前記ＥＣサーバに要求する商品情報要求手段と、
前記ＥＣサーバから前記インターネットを経由して前記販売商品の商品情報を取得すると共に、前記商品情報に対する購入希望商品に関する情報と前記購入希望商品の受取店舗に関する情報とを、前記インターネットを経由して前記ＥＣサーバへ送信する購入希望商品送信手段と、
前記インターネットを経由して、前記ＥＣサーバから前記受取店舗情報と前記購入情報とを取得して当該携帯端末のソフトウェアに登録すると共に、前記ソフトウェアに登録したことを示す完了情報を、前記インターネットを経由して前記ＥＣサーバへ送信する購入完了手段とを有し、
前記ＥＣサーバは、
前記携帯端末から前記インターネットを経由して前記販売商品の商品情報の要求を取得すると共に、当該販売商品の商品情報を前記インターネットを経由して前記携帯端末へ送信する商品情報送信手段と、
前記携帯端末から前記インターネットを経由して前記購入希望商品に関する情報と前記受取店舗に関する情報とを取得すると共に、受取店舗情報と購入情報とを前記インターネットを経由して前記携帯端末へ送信する受取情報送信手段と、
各種の前記情報を前記データベースに保存し管理するデータベース管理手段とを有し、
前記データベースは、
前記ＥＣサーバが通信を行う各種の前記情報を保存する情報保存手段、
を有することを特徴とする商品販売システム。
【請求項２】
前記携帯端末のソフトウェアに登録された前記受取店舗情報が、前記店頭端末の前記位置情報と異なることを特徴とする請求項１に記載の商品販売システム。
【請求項３】
前記受取店舗において認証端末が設けられ、前記認証端末と前記携帯端末とが前記無線通信により前記購入情報の認証確認が行なわれ、認証された場合には、前記購入希望商品の決済を実行することを特徴とする請求項１又は２に記載の商品販売システム。
【請求項４】
前記販売商品は、前記位置情報を有する前記店頭端末が設置された場所に関係付けられた商品であることを特徴とする請求項１乃至３のいずれか１項に記載の商品販売システム。
【請求項５】
前記店頭端末が、前記販売商品の紹介情報を視覚的に表示される紹介情報表示手段を更に備えたことを特徴とする請求項１乃至４のいずれか１項に記載の商品販売システム。
【請求項６】
前記紹介情報は、前記ＥＣサーバが有する前記販売商品の前記商品情報を前記店頭端末へ送信することにより、前記販売商品の前記紹介情報が更新されるオンライン商品紹介更新手段を更に備えたことを特徴とする請求項５に記載の商品販売システム。
【請求項７】
前記紹介情報は、前記店頭端末に設けられた記憶媒体に保存され、前記記憶媒体に保存された前記紹介情報を、前記ＥＣサーバが有する前記販売商品の前記商品情報に更新されることにより、前記販売商品の前記紹介情報が更新される記憶媒体商品更新手段を更に備えたことを特徴とする請求項５に記載の商品販売システム。
【請求項８】
前記店頭端末は、劇場、ホール、スポーツ施設のロビー、車内、観光施設内、狭小面積店舗のいずれか１つに設置されることを特徴とする請求項１乃至７のいずれか１項に記載の商品販売システム。
【請求項９】
前記販売商品は、設置される前記店頭端末の施設に関係付けられた商品であることを特徴とする請求項８項に記載の商品販売システム。
【請求項１０】
前記店頭端末は、隣接して複数台設置されることを特徴とする請求項１乃至９のいずれか１項に記載の商品販売システム。
【請求項１１】
前記店頭端末が設置される場所が乗物の車内であって、前記販売商品は前記乗物が停車する駅、又は停留所の周辺地域の特産物であることを特徴とする請求項１に記載の商品販売システム。
【請求項１２】
前記店頭端末は、走行する乗物の車内に備えられ、
前記乗物が、駅又は停留所に停車したことを検出する停車検出手段と、
前記停車検出手段により前記駅又は停留所で前記乗物の停車が検出された場合には、当該乗物の停車している間、前記駅又は停留所で前記販売商品を販売する停車期間販売手段とを更に備えたことを特徴とする請求項１項に記載の商品販売システム。
【請求項１３】
前記店頭端末は、第１の駅又は停留所と、第２の駅又は停留所とを走行する乗物の車内に備えられ、
前記認証端末が設けられた前記受取店舗は、前記第２の駅又は停留所であって、
前記乗物が、前記第１の駅又は停留所に停車したことを検出する停車検出手段と、
前記停車検出手段により前記第１の駅又は停留所で前記乗物の停車が検出された場合には、当該乗物の停車している間、前記第１の駅又は停留所で前記販売商品を販売する停車期間販売手段と、
前記第２の駅又は停留所に設けられた前記認証端末と前記携帯端末とが前記無線通信により前記購入情報の認証確認が行なわれ、認証された場合には、前記購入希望商品の決済を実行する停車駅決済手段とを更に備えたことを特徴とする請求項３に記載の商品販売システム。
【請求項１４】
無線通信で使用する位置情報と販売商品の紹介情報とを有する店頭端末と、インターネットを経由して前記販売商品の商品情報を含む情報を携帯端末と通信し、各種の前記情報を利用してデータベースに保存するＥＣサーバと、前記店頭端末から前記無線通信により前記位置情報を取得して前記ＥＣサーバから前記インターネットを経由して前記販売商品の商品情報を含む情報を取得して、前記ＥＣサーバと通信を行う携帯端末とを備える商品販売システムにおける商品販売方法であって、
前記店頭端末が前記販売商品の紹介情報を通知する商品紹介通知ステップと、
前記携帯端末が前記販売商品の紹介情報を通知する前記店頭端末に、前記店頭端末の前記位置情報を要求する位置情報要求ステップと、
前記店頭端末が前記携帯端末から前記店頭端末の前記位置情報の要求に対応し、自店頭端末の位置する前記位置情報を前記携帯端末へ送信する位置情報通知ステップと、
前記携帯端末が前記店頭端末から前記位置情報を取得して、当該位置情報を取得した状態で、インターネットを経由して前記販売商品の商品情報を有する前記ＥＣサーバに、前記販売商品の商品情報を要求する商品情報要求ステップと、
前記ＥＣサーバが前記インターネットを経由して、前記携帯端末から前記販売商品の商品情報を取得し、当該販売商品の商品情報を前記インターネットを経由して前記携帯端末へ送信するステップと、
前記携帯端末が前記インターネットを経由して、前記ＥＣサーバから前記販売商品の商品情報の要求を取得し、前記商品情報に対する購入希望商品に関する情報と前記購入希望商品の受取店舗に関する情報とを、前記インターネットを経由して前記ＥＣサーバへ送信する購入希望商品送信ステップと、
前記ＥＣサーバが前記インターネットを経由して、前記携帯端末から前記購入希望商品に関する情報と前記受取店舗に関する情報とを取得し、受取店舗情報と購入情報とを前記インターネットを経由して前記携帯端末へ送信する受取情報送信ステップと、
前記携帯端末が前記インターネットを経由して、前記ＥＣサーバから前記受取店舗情報と前記購入情報とを取得して当該携帯端末のソフトウェアに登録すると共に、前記ソフトウェアに登録したことを示す完了情報を、前記インターネットを経由して前記ＥＣサーバへ送信する購入完了ステップと、
を備えることを特徴とする商品販売方法。
【請求項１５】
前記携帯端末のソフトウェアに登録された前記受取店舗情報が、前記店頭端末の前記位置情報と異なることを特徴とする請求項１４に記載の商品販売方法。
【請求項１６】
前記受取店舗において認証端末が設けられ、前記認証端末と前記携帯端末とが前記無線通信により前記購入情報の認証確認が行なわれ、認証された場合には、前記購入希望商品の決済を実行することを特徴とする請求項１４又は１５に記載の商品販売方法。
【請求項１７】
前記販売商品は、前記位置情報を有する前記店頭端末が設置された場所に関係付けられた商品であることを特徴とする請求項１４乃至１６のいずれか１項に記載の商品販売方法。
【請求項１８】
前記店頭端末が、前記販売商品の紹介情報を視覚的に表示される紹介情報表示ステップを備えたことを特徴とする請求項１４乃至１７のいずれか１項に記載の商品販売方法。
【請求項１９】
前記紹介情報は、前記ＥＣサーバが有する前記販売商品の前記商品情報を前記店頭端末へ送信することにより、前記販売商品の前記紹介情報が更新されるオンライン商品紹介更新ステップを備えたことを特徴とする請求項１８に記載の商品販売方法。
【請求項２０】
前記紹介情報は前記店頭端末に設けられた記憶媒体に保存され、前記記憶媒体に保存された前記紹介情報を、前記ＥＣサーバが有する前記販売商品の前記商品情報に更新されることにより、前記販売商品の前記紹介情報が更新される記憶媒体商品更新ステップを備えたことを特徴とする請求項１８に記載の商品販売方法。
【請求項２１】
前記店頭端末は、劇場、ホール、スポーツ施設のロビー、車内、観光施設内、狭小面積店舗のいずれか１つに設置されることを特徴とする請求項１４乃至２０のいずれか１項に記載の商品販売方法。
【請求項２２】
前記販売商品は、設置される前記店頭端末の施設に関係付けられた商品であることを特徴とする請求項２１項に記載の商品販売方法。
【請求項２３】
前記店頭端末は、隣接して複数台設置されることを特徴とする請求項１４乃至２２のいずれか１項に記載の商品販売方法。
【請求項２４】
前記店頭端末が設置される場所が乗物の車内であって、前記販売商品は前記乗物が停車する駅、又は停留所の周辺地域の特産物であることを特徴とする請求項１４に記載の商品販売方法。
【請求項２５】
前記店頭端末は、走行する乗物の車内に備えられ、
前記乗物が、駅又は停留所に停車したことを検出する停車検出ステップと、
前記停車検出ステップにより、前記駅又は停留所で前記乗物の停車が検出された場合には、当該乗物の停車している間、前記駅又は停留所で前記販売商品を販売する停車期間販売ステップとを備えたことを特徴とする請求項１４項に記載の商品販売方法。
【請求項２６】
前記店頭端末は、第１の駅又は停留所と、第２の駅又は停留所とを走行する乗物の車内に備えられ、
前記認証端末が設けられた前記受取店舗は、前記第２の駅又は停留所であって、
前記乗物が、前記第１の駅又は停留所に停車したことを検出する停車検出ステップと、
前記停車検出ステップにより前記第１の駅又は停留所で前記乗物の停車が検出された場合には、当該乗物の停車している間、前記第１の駅又は停留所で前記販売商品を販売する停車期間販売ステップと、
前記第２の駅又は停留所に設けられた前記認証端末と前記携帯端末とが前記無線通信により前記購入情報の認証確認が行なわれ、認証された場合には、前記購入希望商品の決済を実行するステップを備えたことを特徴とする請求項１６に記載の商品販売方法。
【請求項２７】
前記無線通信は、ＩｒＤＡ赤外線、Ｂｌｕｅｔｏｏｔｈ、ＺｉｇＢｅｅ、の何れかの規格によってデータ通信を行うことを特徴とする請求項１乃至１３のいずれか１項に記載の商品販売システム。
【請求項２８】
前記無線通信は、ＩｒＤＡ赤外線、Ｂｌｕｅｔｏｏｔｈ、ＺｉｇＢｅｅ、の何れかの規格によってデータ通信を行うことを特徴とする請求項１４乃至２６のいずれか１項に記載の商品販売方法。
【発明の詳細な説明】
【技術分野】
【０００１】
本発明は、商品販売システムに関し、特に施設や劇場などの場所における商品販売システムに関する。
【背景技術】
【０００２】
従来から、インターネットのＥＣ（Electronic Commerce）サイトを通じて、利用者は無人店舗の代用として、インターネットに接続する端末があれば商品を購入して、クレジットや振込みや代引きで代金を支払い、郵送等で商品を入手することができるインターネット（the Internet）による通信販売が普及している。
【０００３】
この場合、パソコンでは、商品情報を詳細に提供できるが、利用者が移動しているときは、ＥＣを利用しにくい状況である。また可搬性に優れた携帯電話では、商品情報が限定されてしまうので、事前にある程度の商品情報を認識しておくことが求められる。
【０００４】
また、車内広告や車内で見かける通信販売のパンフレットから商品を認知することもあるが、商品に興味を抱いても商品が紹介された場所で購入できるような環境が整っておらず、商品に興味を抱いた時点で販売できるメリットが、十分に活用されていない。
【０００５】
特に、娯楽や旅行などのレジャーにあってはパソコンはあまり持ち歩かないので、利用者は実際の商品を見て、購入代金を現金やクレジットカードなどで支払うことが一般的である。
【０００６】
例えば、スポーツ観戦、演劇や音楽コンサート、旅行中の乗物での移動時などでは、イベント業者や旅行・観光関連業者にとって販売機会はあるものの、利用者にとっては店舗での混雑や限定された商品しか提供されないので、利用者にとっては不便である。
【０００７】
また店舗の都合によっては、一時的な仮店舗で営業することもあり、商品の販売予測が立てにくい面があり、商品の仕入数量の不足や過剰が発生する。また場合によっては、物販コーナーや店舗などがあるべき場所で、諸般の事情で実際には店舗が設置できないことがある。
【０００８】
例えば、特に地方都市の商店街などでよく見られるように、シャッターが閉まった休業店舗や、店舗に立ち寄ったが閉店時間が早いので、購入したかった商品が購入できない場合、又は飲食店で販売する商品があるにもかかわらず、物販を扱う人材が確保できないため、販売する機会を損失している場合、多種の商品を陳列するスペースがない場合等、商品を販売する上で種々の問題を生じていた。
【０００９】
そこで、インターネットと、ＧＰＳ（Global Positioning System）とを用いて、商品の注文や販売などを行うインターネット端末装置（特許文献１参照）や、商品配達の注文システム（特許文献２参照）、或いはＧＰＳの代わりに携帯電話端末を用いた商品販売方法（特許文献３参照）などが知られている。
【特許文献１】特開２００１−１７５７２３号公報
【特許文献２】特開２００１−２８３０２１号公報
【特許文献３】特開２００２−２６９４６６号公報
【発明の開示】
【発明が解決しようとする課題】
【００１０】
しかしながら、特許文献１乃至３に記載された発明では、利用者の移動端末（携帯端末）において利用者の位置情報からその位置情報の周辺に位置する店舗が販売する商品を購入できるシステムになっている。
【００１１】
すなわち、特許文献１乃至３に記載された先行技術では、利用者が位置する任意の場所において、その利用者の位置情報に応じて移動端末（携帯端末）が、周辺の店舗にて販売されている情報を取得するようになっている。
【００１２】
従って、先行技術に開示された発明では、ＧＰＳや携帯端末の電波の受信感度の影響を受けるため、位置情報検出装置の精度により、商品情報を取得できなかったり、又、屋内では電波が届かないので、商品の注文をすることができないなどの問題があった。
【００１３】
更に、背景技術に記載された店舗に商品を陳列するスペースの問題や、店舗の営業時間の問題、或いは利用者が移動に伴う場所や店舗に関連付けられた商品のみの提供に関する問題などは、何ら解決されていない。
【００１４】
本発明は、上記問題点に鑑みてなされたものであり、店頭端末と携帯端末とを利用して、所定の場所に設置された店頭端末から、その店頭端末の位置情報を利用者の携帯端末が取得して、その店頭端末を用いて商品情報を利用者に提供することにより、商品を販売する機会を逃さないで商品を販売することができる商品販売システム、及び商品販売方法を提供することを目的とする。
【課題を解決するための手段】
【００１５】
本発明に係る商品販売システムは、無線通信で使用する位置情報と販売商品の紹介情報とを有する店頭端末と、インターネットを経由して前記販売商品の商品情報を含む情報を携帯端末と通信するＥＣサーバと、前記ＥＣサーバが通信を行う前記情報を保存するデータベースと、前記店頭端末から前記無線通信により前記位置情報を取得すると共に、前記ＥＣサーバから前記インターネットを経由して前記販売商品の商品情報を含む情報を取得して前記ＥＣサーバと通信を行う携帯端末とを備え、前記店頭端末は、前記販売商品の紹介情報を通知する商品紹介通知手段と、前記携帯端末から前記店頭端末の前記位置情報の要求に対応し、自店頭端末の位置する前記位置情報を前記携帯端末へ前記無線通信により送信する位置情報通知手段とを有し、前記携帯端末は、前記販売商品の紹介情報を通知する前記店頭端末に対し、前記店頭端末の前記位置情報を前記無線通信により要求する位置情報要求手段と、前記店頭端末から前記位置情報を取得すると共に、当該位置情報を取得した状態で、インターネットを経由して、前記販売商品の紹介情報に対応する前記販売商品の商品情報を前記ＥＣサーバに要求する商品情報要求手段と、前記ＥＣサーバから前記インターネットを経由して前記販売商品の商品情報を取得すると共に、前記商品情報に対する購入希望商品に関する情報と前記購入希望商品の受取店舗に関する情報とを、前記インターネットを経由して前記ＥＣサーバへ送信する購入希望商品送信手段と、前記インターネットを経由して、前記ＥＣサーバから前記受取店舗情報と前記購入情報とを取得して当該携帯端末のソフトウェアに登録すると共に、前記ソフトウェアに登録したことを示す完了情報を、前記インターネットを経由して前記ＥＣサーバへ送信する購入完了手段とを有し、前記ＥＣサーバは、前記携帯端末から前記インターネットを経由して前記販売商品の商品情報の要求を取得すると共に、当該販売商品の商品情報を前記インターネットを経由して前記携帯端末へ送信する商品情報送信手段と、前記携帯端末から前記インターネットを経由して前記購入希望商品に関する情報と前記受取店舗に関する情報とを取得すると共に、受取店舗情報と購入情報とを前記インターネットを経由して前記携帯端末へ送信する受取情報送信手段と、各種の前記情報を前記データベースに保存し管理するデータベース管理手段とを有し、前記データベースは、前記ＥＣサーバが通信を行う各種の前記情報を保存する情報保存手段を有することを特徴とする。
【００１６】
また本発明に係る商品販売システムは、前記携帯端末のソフトウェアに登録された前記受取店舗情報が、前記店頭端末の前記位置情報と異なっても良い。
【００１７】
また本発明に係る商品販売システムは、前記受取店舗において認証端末が設けられ、前記認証端末と前記携帯端末とが前記無線通信により前記購入情報の認証確認が行なわれ、認証された場合には、前記購入希望商品の決済を実行しても良い。
【００１８】
また本発明に係る商品販売システムは、前記販売商品が、前記位置情報を有する前記店頭端末が設置された場所に関係付けられた商品であっても良い。
【００１９】
また本発明に係る商品販売システムは、前記店頭端末が、前記販売商品の紹介情報を視覚的に表示される紹介情報表示手段を更に備えても良い。
【００２０】
また本発明に係る商品販売システムは、前記紹介情報が、前記ＥＣサーバが有する前記販売商品の前記商品情報を前記店頭端末へ送信することにより、前記販売商品の前記紹介情報が更新されるオンライン商品紹介更新手段を更に備えるようにしても良い。
【００２１】
また本発明に係る商品販売システムは、前記紹介情報が、前記店頭端末に設けられた記憶媒体に保存され、前記記憶媒体に保存された前記紹介情報を、前記ＥＣサーバが有する前記販売商品の前記商品情報に更新されることにより、前記販売商品の前記紹介情報が更新される記憶媒体商品更新手段を更に備えるようにしても良い。
【００２２】
また本発明に係る商品販売システムは、前記店頭端末が、劇場、ホール、スポーツ施設のロビー、車内、観光施設内、狭小面積店舗のいずれか１つに設置されるようにしても良い。
【００２３】
また本発明に係る商品販売システムは、前記販売商品が、設置される前記店頭端末の施設に関係付けられた商品であっても良い。
【００２４】
また本発明に係る商品販売システムは、前記店頭端末が、隣接して複数台設置されるようにしても良い。
【００２５】
また本発明に係る商品販売システムは、前記店頭端末が設置される場所が乗物の車内であって、前記販売商品は前記乗物の停車する駅、又は停留所の周辺地域の特産物であっても良い。
【００２６】
また本発明に係る商品販売システムは、前記店頭端末が、走行する乗物の車内に備えられ、前記乗物が、駅又は停留所に停車したことを検出する停車検出手段と、前記停車検出手段により前記駅又は停留所で前記乗物の停車が検出された場合には、当該乗物の停車している間、前記駅又は停留所で前記販売商品を販売する停車期間販売手段とを更に備えるようにしても良い。
【００２７】
また本発明に係る商品販売システムは、前記店頭端末が、第１の駅又は停留所と第２の駅又は停留所とを走行する乗物の車内に備えられ、前記認証端末が設けられた前記受取店舗は、前記第２の駅又は停留所であって、前記乗物が前記第１の駅又は停留所に停車したことを検出する停車検出手段と、前記停車検出手段により前記第１の駅又は停留所で前記乗物の停車が検出された場合には、当該乗物の停車している間、前記第１の駅又は停留所で前記販売商品を販売する停車期間販売手段と、前記第２の駅又は停留所に設けられた前記認証端末と前記携帯端末とが前記無線通信により前記購入情報の認証確認が行なわれ、認証された場合には、前記購入希望商品の決済を実行する停車駅決済手段とを更に備えても良い。
【発明の効果】
【００２８】
本発明によれば、ユーザが各自の携帯端末の通信機能を利用して、携帯端末が店舗の位置情報を取得し、その位置情報に関連付けられた店頭端末の販売商品リストを取得することにより、その場でインターネットを経由して商品を購入することができる。
【発明を実施するための最良の形態】
【００２９】
（本発明の概要）
本発明は、長期又は短期の休業や閉店時間などの理由により、扱っている商品の販売ができない無人の店舗や、商品販売が制限されている劇場・ホール・スポーツ施設など各種文化・スポーツ施設、或いは特産物や土産物などの販売ができない列車やバスの車内などにおいて、商品販売業者の商品情報が無人の店頭端末によって自動的に案内され、携帯電話を利用して店頭端末の位置情報を取得し、携帯端末と店頭端末とが通信を行うことにより、商品の詳細情報や販売リストが利用者へ提供される商品販売システムである。
【００３０】
そして、その携帯電話からインターネット上で購入予約がなされると、最寄りの有人の店舗が通知され、その店舗において利用者の携帯電話の通信機能（例えば、赤外線通信方式による機能）を利用して認証すると、商品を入手し決済することができる。
【００３１】
ここで、例えば、劇場・ホール・スポーツ施設などの場所において、本発明に係るサービスを提供する者を、サービス提供者といい、この場所において商品を販売する者を商品販売業者という。
【００３２】
また本発明では、単に店舗機能が存在しない場所において、商品販売をインターネット販売で実現するものではなく、利用者の状況に合わせて、商店街ならば店舗の営業時間中に販売している商品を、例えばスポーツ施設ならばチームや選手に関するグッズであったり、後述する第３の実施の形態のように列車やバスなどの移動状況では、停車する場所に関する土産物や特産物のように、その場所における特有の状況と密接な関係がある商品情報を提供することにより商品販売の機会を増やし、その場所で実際の商品が陳列されていなくても、携帯電話を利用するだけで商品の販売を可能にするものである。
【００３３】
そしてこの本発明では、商品販売業者は、店頭端末を用いることにより陳列スペースや在庫、顧客対応の販売員を配置する必要がなく、商品販売にかかる販売スペース料、人件費、運送コストなどの店舗出店コストを大幅に削減できるので、臨時の出店やテスト販売などにも効果的である。
【００３４】
更に、従来から問題であった市街地の空洞化による商店街の空き店舗や休業中の店舗、或いは地方都市などによく見られる閉店時間が早い店舗などにおいても利用することができると共に、後述する第３の実施の形態のように乗物などに店頭端末を設置することにより、車内で各地の商品を幅広く販売でき、利用者は商品を幅広く選択することができる特徴がある。
【００３５】
このように本発明における利用者は、通信機能付の携帯電話（例えば、赤外線通信など）を使用して、サービス提供者による商品販売サービスを利用することができる。
【００３６】
なおこの場合、サービス提供者として文化・スポーツ施設管理事業者、イベント事業者、商店街管理事業者（管理組合）、交通事業者、旅行事業者などが該当する。
【００３７】
また商品販売業者は、単独でサービス提供者として本商品販売サービスを提供してもよく、或いは自己の取り扱う商品の販売業者として特化していても良い。
【００３８】
この商品販売システムでは、販売に関わる費用の削減と、後述する第３の実施の形態のように利用者の移動に応じた商品情報の提供によって購買意欲を高め、携帯電話で簡単に商品を購入することが可能である。
【００３９】
そのため、本サービスを利用するための特別なサービス利用料は必要とされないが、本サービスを実現するための店頭端末、ネットワーク、位置情報管理システム、コンテンツ配信システム、ｅ−コマースシステムの設備投資と運営費用は、商品販売業者の販売コスト削減やサービス提供者の売上額の一部から充当するようにしても良い。
【００４０】
またサービス提供者は、商品販売に適した場所に店頭端末を設置し、利用者とサービス提供者との通信環境を整備しておくことにより、サービス提供者又は商品販売業者が利用者へ販売促進のための商品紹介や、動画、静止画、音声などのメディアによって商品の紹介コンテンツを配信し、店頭端末から情報提供することができる。
【００４１】
また、メモリカードに店舗のＰＲや商品ＰＲのデータを記録して、オフラインで店頭端末を動作させることにより、コンテンツ配信システムのネットワークを利用することなく店頭端末に商品ＰＲ情報を表示させることもできる。
【００４２】
そして利用者は、無人店舗に設置された店頭端末に表示される商品の紹介コンテンツを見ることにより、商品販売サービスを利用して商品を購入したい場合には、まず携帯電話でサービスアプリケーションソフトをダウンロードし、携帯電話の赤外線通信機能を利用して店頭端末の位置情報を取得するだけで、その無人店舗で販売している商品リストを、携帯電話からインターネットに接続することによって取得することができる。
【００４３】
また、店頭端末で紹介している商品だけでなく、店頭端末で紹介していない商品であっても、商品リストから詳細情報を確認してインターネット経由で購入することができる。
【００４４】
この場合、利用者はインターネットで決済まで行なうこともできる一方、購入の予約だけを行うこともでき、予約だけをした場合には、携帯電話に購入ＩＤ番号と商品受取場所である有人の店舗が通知され、利用者は最寄りの有人店舗で携帯電話の赤外線機能を利用して認証することにより、商品を受け取ることができる。
【００４５】
また決済方法は、携帯電話の電子マネーやクレジット、商品受取時の代引きを選択しても良く、何れか１つに限定されるものではない。
【００４６】
以下、本発明を実施するための最良の実施の形態について、図面を参照して詳細に説明する。
（第１の実施の形態）
図１は、本発明に係る第１の実施の形態として、サービス提供者４の備えるコンテンツサーバ４４から無人店舗１に設置されている店頭端末１１に対して、無人店舗１の商品紹介コンテンツを配信する商品販売システムを示している。
【００４７】
図１において商品販売システムは、商品紹介コンテンツを配信するサービス提供者４のサービス提供環境と、無人店舗１と、無人店舗２と、有人店舗３とを備えている。
【００４８】
商品紹介コンテンツは、動画、静止画、音声などの各メディアにより、表示または告知されるようになっている。
【００４９】
利用者は、商品の内容について興味を持ち、購買意欲が増してきた場合には、サービス提供者４の備えるＷＷＷ（World Wide Web）サーバ４０経由にて、ＥＣ（Electric Commerce）サーバ（Server）４１にある商品販売サービスの携帯サイトから、携帯電話３０にあらかじめダウンロード（download）しておいたアプリケーションソフト（Application Software）を立ち上げ、携帯電話３０の赤外線通信機能を利用して、無人店舗１の店頭端末１１から位置ＩＤ（Identification）情報を受信する。
【００５０】
店頭端末１１の位置ＩＤ情報は、サービス提供者４の備える位置管理サーバ４３によって集中管理されている。これにより利用者は、位置ＩＤ情報を受信した状態で携帯電話３０からインターネットに接続し、サービス提供者４が備えるＥＣサーバ４１にアクセスすることができるので、ＥＣサーバ４１から無人店舗１の販売商品リストを携帯電話３０にダウンロードすることができる。
【００５１】
そして、無人店舗１の販売商品リストの中から購入したい商品が選択されると、商品の提供方法が携帯電話３０の画面上で利用者に指示され、最寄りの受取店舗と購入ＩＤ番号とを示した商品購入案内情報が、利用者の携帯電話３０へ送信される。
【００５２】
利用者の携帯電話３０において商品購入案内情報が確認されると、販売商品と購入場所を示した購入ＩＤ情報と商品受取店舗情報とが、ＥＣサーバ４１へ送信される。
【００５３】
この時、購入ＩＤ情報が記録された購入データファイルは、携帯電話３０のアプリケーションソフトに追加される。またＥＣサーバ４１は、販売商品情報、販売した無人店舗情報、利用者の購入ＩＤ番号、商品受取店舗情報が示される商品販売データをデータベース４２に登録する。
【００５４】
そして利用者は、商品受取りのために有人店舗３を訪れ、携帯電話３０のアプリケーションソフトに追加された購入データファイルを開き、携帯電話３０の赤外線通信機能を利用して有人店舗３の認証端末２０の赤外線アダプタ２１に向けて購入ＩＤ情報を送信する。そうすると認証端末２０は、サービス提供者４の備えるデータベース４２に登録された商品販売データと照合し、認証する。
【００５５】
ＥＣサーバ４１は、商品販売データを有人店舗３の認証端末２０に送信し、認証端末２０で決済が実行される。このときの決済方法は、代引きだけでなく携帯電話の電子マネーやインターネット上でのクレジット決済を利用することもできる。
【００５６】
更に第２の実施の形態で示す無人店舗が複数箇所存在する場合には、無人店舗２においても同様に、店頭端末１２に対して無人店舗２の商品紹介コンテンツがコンテンツサーバ４４から配信され、同じ携帯電話３０を利用して店頭端末１２から位置ＩＤ情報を受信し、無人店舗２の商品が販売されるようになっている。
（第１の実施例）
図１を参照すると、本発明の商品販売システムの第１の実施例では、スポーツ施設などにおいて商品販売業者がスポーツ選手やチームの関連商品を販売する際に、観客で混雑することが予想されるため、店舗の設置スペースに制限があったり、或いは、もともと施設内での商品販売の許可がされていないなど、様々な理由で商品販売が十分にできない場合に、会場ロビーや通路などに無人店舗として商品情報を提供する店頭端末だけ設置して、観客の携帯電話からインターネットで商品購入を可能とするサービスを示している。
【００５７】
店頭端末が複数設置されていると、携帯電話の赤外線通信で各店頭端末の位置情報の違いを認識することにより、各商品販売業者の店頭端末毎に異なった商品の販売ができる。これにより複数の販売業者が、本サービス提供者による商品販売システムを利用することができるようになっている（第２の実施の形態を参照）。
【００５８】
この商品販売システムは、本サービスを提供するために、無人店舗１と、無人店舗２に設置される店頭端末１１と、店頭端末１２と、商品を受け取る有人店舗３に設置される認証端末２０と、認証データ受信用の赤外線アダプタ２１と、サービス提供者４のサービス提供環境に設置される位置情報管理機能、コンテンツ配信機能、ｅ−コマース機能を備えたサービス提供環境とを備えている。
【００５９】
無人店舗１は店頭端末１１を備え、無人店舗２は店頭端末１２を備え、有人店舗３は認証端末２０と赤外線アダプタ２１を備えている。またサービス提供者４の有するサービス提供環境は、ＥＣサーバ４１とデータベース４２と、位置管理サーバ４３と、コンテンツサーバ４４と、ＷＷＷサーバ４０とを備えている。
【００６０】
利用者は携帯電話３０を所持し、無人店舗１、無人店舗２、有人店舗３で携帯電話３０を使用すると共に、これらを相互に接続する通信ネットワークであるインターネットと携帯網とから構成されている。
【００６１】
店頭端末１１は、図２に基本機能のブロック図を示すように、パソコン等の情報処理装置によって構成されており、インターネット等の外部の通信ネットワークと接続する機能を備えている。
【００６２】
具体的には、ＬＡＮ（Local Area Network）ポート又は無線ＬＡＮアダプタにより行われる通信制御１００と、液晶ディスプレイに表示する画像表示１０１と、全体の制御を司るＣＰＵ（Central Processing Unit）１０２と、赤外線ポート１０４に接続された赤外線制御１０３と、通信を行う赤外線ポート１０４と、メモリカード又はＧＰＳ（Global Positioning System）受信機に接続されて制御するメモリ制御１０５とを備えている。
【００６３】
そして、サービス提供者４のサービス提供環境は、無人店舗１への集客を目的として、コンテンツサーバ４４から、無人店舗１で販売している商品を紹介する動画、静止画、音声などのメディアによる内容のコンテンツを配信する。
【００６４】
また、サービス提供者４のサービス提供環境は、表示部である液晶ディスプレイなどに、スケジュール管理のもと、定期的に表示させる機能または音声で出力する機能を用いて利用者に通知する。
【００６５】
コンテンツサーバ４４から配信されるデータは、一時的にメモリに保存し、表示スケジュール管理によって表示させることができる。またはコンテンツサーバ４４からのコンテンツ以外のデータをメモリカードに保存し、オフラインで動作させても良い。
【００６６】
インターネットの接続ポートは、通常、有線ＬＡＮポートが使用されるが、店頭端末１１の設置場所によって有線ＬＡＮが利用できない場合には、無線ＬＡＮアダプタを使用することができる。
【００６７】
店頭端末１１は、店頭端末１１が有する赤外線ポートからＩｒＤＡ（Infrared Data Association）方式の双方向赤外線通信機能を利用して、店頭端末１１の位置ＩＤ情報を携帯電話３０へ発信する機能を有する。なお赤外線ポート以外に、ＵＳＢ接続の赤外線アダプタを利用することもできる。
【００６８】
赤外線ポートは、本実施例では、２ｍ離れた携帯電話間でのデータを支障なく送受信することができる。但し、２ｍに限定されるものではない。
【００６９】
サービス提供者４の位置管理サーバ４３は、店頭端末１１の位置情報を管理しており、携帯電話３０のアプリケーションソフトが動作中に携帯電話３０からの赤外線信号を受信した場合には、店頭端末１１固有の位置ＩＤ情報を携帯電話３０へ送信する。
【００７０】
店頭端末１２は、店頭端末１１と同じ機能を有しており、赤外線ポートに設定されている位置ＩＤ情報のデータのみ異なる。また複数の店頭端末の位置ＩＤ情報は、サービス提供者４のサービス提供環境に設置されている位置管理サーバ４３によって集中管理されるようになっている。
【００７１】
また後述する第３の実施の形態で示すように、店頭端末１１が乗物などの移動体に設置されている場合には、メモリカードの代わりにＧＰＳ受信機を利用して店頭端末１１の位置情報を受信するとともに、現在の店頭端末１１の位置情報を、インターネット経由で位置管理サーバ４３へ送信する機能を有するようにしても良い。
【００７２】
有人店舗３の認証端末２０は、パソコン等の情報処理装置によって構成されており、インターネット等の外部の通信ネットワーク（Network）と接続する機能を備えている。
【００７３】
赤外線アダプタ２１は、認証端末２０とＵＳＢ（Universal Serial Bus）で接続されており、携帯電話３０から赤外線で送信された商品の購入ＩＤ情報データを、赤外線アダプタ２１経由で受信することにより、サービス提供者４のサービス提供環境に設けられたデータベース４２に登録されている商品販売データと照合して認証することができ、商品販売システムを利用して販売した商品の決済を実行する。
【００７４】
赤外線アダプタ２１は、ＩｒＤＡ方式の赤外線通信機能を有しており、１ｍ程度以内の離れた携帯電話からの受信データを支障なく処理することができる。また認証端末２０に内蔵された赤外線ポートを代わりに使用するようにしても良い。
【００７５】
なお、赤外線アダプタ２１は、通信範囲が１ｍに限定されるものではない。
【００７６】
携帯電話３０は、利用者が常時携帯しているインターネット接続機能付き携帯電話であって、赤外線通信機能を備えていることを前提とする。
【００７７】
まず利用者は、インターネット経由でサービス提供者４の備える携帯用Ｗｅｂサイトにアクセスし、商品販売サービスを利用するためのアプリケーションソフトをダウンロードすることができる。また利用者は、アプリケーションソフトを動作中に赤外線通信機能を利用して店頭端末１１から位置ＩＤ情報を受信し、インターネット経由でＥＣサーバ４１から無人店舗１の販売商品リストをダウンロードすることができる。
【００７８】
そして利用者は、販売商品リストから必要な購入商品を選択すると、ＥＣサーバ４１から送信された商品購入案内情報の購入ＩＤ情報が、購入データファイルとして携帯電話３０のアプリケーションソフトに追加されるようになっている。
【００７９】
これにより、利用者は、商品購入案内情報で指定された有人店舗３において、携帯電話３０のアプリケーションソフトに追加された購入データファイルを開き、認証端末２０の赤外線アダプタ２１に向けて購入ＩＤ情報を送信すると、認証端末２０において商品販売データを認証することができ、販売商品の決済が実行される。
【００８０】
ここで、サービス提供者４のサービス提供環境にある商品販売システムは、ＷＷＷサーバ４０と、ＥＣサーバ４１と、データベース４２と、位置管理サーバ４３と、コンテンツサーバ４４とを備えている。
【００８１】
この商品販売システムは、無人店舗１、２で販売する商品のｅ−コマースと販売商品管理、店頭端末の位置情報管理、店頭端末へのコンテンツ配信、携帯電話へのアプリケーションソフト及び商品情報提供などの主要な機能を担っている。
【００８２】
サービス提供者４の備えるＷＥＢサイトは、携帯電話の利用者向けに商品販売サービス利用者の申込みを受付実行するサイト、無人店舗での販売商品リストの情報提供サイト、商品販売サイトなどを提供している。
【００８３】
ＷＷＷサーバ４０は、サービス提供者４のサービス提供環境内のＬＡＮ経由でＥＣサーバ４１と、データベース４２と、位置管理サーバ４３と、コンテンツサーバ４４とに接続され、外部とはインターネットによって接続されるコンピュータである。またこのＷＷＷサーバ４０は、携帯電話３０へ商品販売サービスの紹介や利用者申込みフォーム、アプリケーションソフトを配信する機能、ＥＣサーバ４１から提供される無人店舗の販売商品リスト情報を携帯電話３０へ配信する機能などを有している。
【００８４】
ＥＣサーバ４１は、サービス提供者４のサービス提供環境内のＬＡＮ経由でＷＷＷサーバ４０と、データベース４２と、位置管理サーバ４３と、コンテンツサーバ４４とに接続されるコンピュータである。
【００８５】
またＥＣサーバ４１は、利用者の携帯電話３０へ利用者申込みフォーム、アプリケーションソフトをＷＷＷサーバ４０経由で配信する機能、携帯電話３０からの利用者申込みデータを受付処理する機能、携帯電話３０から購入できる商品情報の要求に対して販売商品リストをＷＷＷサーバ４０経由で配信する機能、位置管理サーバ４３に登録されている店頭端末の位置ＩＤ情報とコンテンツサーバ４４の商品データから該当する販売商品を抽出してリスト化する機能、携帯電話３０から選択された購入商品のデータに基づいて購入ＩＤ情報と商品受取店舗情報を携帯電話３０へ配信する機能、商品販売データをデータベース４２に登録する機能、有人店舗３での認証結果を受けてデータベース４２での商品販売データを認証端末２０へ送信する機能などの種々の機能を有している。
【００８６】
データベース４２は、サービス提供者４のサービス提供環境内のＬＡＮ経由でＥＣサーバ４１と接続され、利用者のアプリケーション利用許諾パスワード、利用者の携帯電話メールアドレス、販売商品情報、販売した無人店舗情報、利用者の購入ＩＤ番号、商品受取店舗情報を含む商品販売データがＥＣサーバ４１によって登録される機能などを有するコンピュータである。
【００８７】
ここで販売商品情報には、利用者が購入要求した日時、商品内容、数量、販売価格が含まれる。
【００８８】
これにより利用者が携帯電話から購入商品を選択するときに、位置管理サーバ４３による店頭端末１１の位置ＩＤ情報により販売した無人店舗情報が確定され、購入ＩＤ番号が割り当てられる。
【００８９】
ところで商品受取店舗情報は、ＥＣサーバ４１にある有人店舗リストから、携帯電話３０の商品受取店舗確認データによってＥＣサーバ４１で確定する。
【００９０】
位置管理サーバ４３は、サービス提供者４のサービス提供環境内のＬＡＮ経由でＷＷＷサーバ４０と、ＥＣサーバ４１と、コンテンツサーバ４４とに接続されるコンピュータである。
【００９１】
この位置管理サーバ４３は、ＥＣサーバ４１による携帯電話３０への販売商品リストの情報提供を目的として、無人店舗における店頭端末の位置ＩＤ情報を集中管理することによってＥＣサーバ４１へ店頭端末の位置情報を送信する機能と、コンテンツサーバ４４による店頭端末への商品紹介コンテンツのデータ配信を目的として、コンテンツサーバ４４へ店頭端末の位置情報を送信する機能とを有している。
【００９２】
この位置ＩＤ情報は、店頭端末に用意された赤外線ポートのＩＤ情報だけではなく、ＧＰＳによる店頭端末の位置情報でも管理することができる。
【００９３】
コンテンツサーバ４４は、サービス提供者４のサービス提供環境内のＬＡＮ経由でＷＷＷサーバ４０と、ＥＣサーバ４１と、位置管理サーバ４３とに接続されるコンピュータである。
【００９４】
このコンテンツサーバ４４は、無人店舗で販売している商品の広告コンテンツを編集・保存し、位置管理サーバ４３からの位置情報に対応して、無人店舗の店頭端末への商品紹介コンテンツのデータをインターネット経由で配信する機能と、店頭端末の位置情報に対応して販売商品リスト情報をＥＣサーバ４１へ提供する機能とを有している。
【００９５】
商品紹介コンテンツ用データは、動画、静止画、音声による各メディアを組み合わせて利用してもよい。
【００９６】
更に店頭端末が乗物など移動体に設置された場合には、店頭端末のＧＰＳ情報から、駅などに設置された無線ＬＡＮアクセスポイントの位置情報が一致したときに、駅で停車中の乗物の店頭端末へ商品紹介コンテンツのデータをインターネット経由で配信することができる。
（第１の実施例の動作）
次に、図１乃至１０を参照して、本実施例の動作について詳細に説明する。
【００９７】
図３を参照すると、利用者は、サービス提供者４がＷＷＷサーバ４０によってインターネット上に開設している商品販売サービスの携帯用サイトにある商品販売サービス利用申込みページに、自分の携帯電話３０からアクセスする（ステップ１−１）。
【００９８】
利用者が商品販売サービス利用申込みページにアクセスすると、ＥＣサーバ４１からＷＷＷサーバ４０経由で商品販売サービス利用申込みフォームが、利用者の携帯電話３０に提供される（ステップ１−２）。利用者は、携帯電話３０から本人確認用のアプリケーション利用許諾パスワードと、携帯電話３０のメールアドレスとを入力して、ＥＣサーバ４１へ送信する（ステップ１−３）。
【００９９】
これにより、サービス提供者４の備えるＥＣサーバ４１は、利用者のアプリケーション利用許諾パスワードと携帯電話のメールアドレスとをデータベースに登録すると共に、商品販売サービスのアプリケーションソフト（図中において、アプリと略することがある。）を利用者の携帯電話にダウンロードする（ステップ１−４）。
【０１００】
無人店舗１の位置情報は、店頭端末１１の赤外線ポートに設定されたＩＤ番号を位置ＩＤ情報として、サービス提供者４の備える位置管理サーバ４３に集中管理されている。このため、コンテンツサーバ４４は、位置管理サーバ４３からの位置ＩＤ情報を受信して、該当する無人店舗１の店頭端末１１へ商品紹介コンテンツのデータをインターネット経由で配信する（ステップ１−５）。
【０１０１】
店頭端末１１は、コンテンツサーバ４４から配信されるデータを一時的にメモリに保存させ、無人店舗１で販売している商品を動画、静止画、音声などのメディアで紹介する内容のコンテンツを、店頭端末１１の表示部である液晶ディスプレイ上に表示スケジュール管理のもと定期的に表示させる（ステップ１−６）。
【０１０２】
これにより利用者は、店頭端末１１に表示される商品を見て、その店頭端末１１が取り扱っている商品を確認することができるので、気に入った商品に対し、本発明に係る商品販売システムを用いて、商品を購入することができる。
【０１０３】
またコンテンツサーバ４４は、位置管理サーバ４３からの位置ＩＤ情報を受信して、該当する無人店舗１の店頭端末１１の販売商品リストをＥＣサーバ４１へ送信するようになっている（ステップ１−７）。
【０１０４】
このためＥＣサーバ４１は、店頭端末１１から販売商品リストを取得すると、店頭端末ごとに取り扱っている販売商品リストを管理することができる。
【０１０５】
ここで図４は、ＥＣサーバ４１における各店頭端末１１の販売商品リスト画面例を示したものである。
【０１０６】
図４に示す販売商品リスト例では、店頭端末１１及び店頭端末１２で販売されている商品を示したものである。
【０１０７】
ところで利用者は、店頭端末１１から２ｍ以内の地点において、ステップ１−４で携帯電話３０にインストールしたアプリケーションソフトを起動させ、位置情報検索画面において携帯電話３０の赤外線通信ポートを店頭端末１１の赤外線ポートに向けて位置ＩＤ情報を要求する（ステップ１−８）。
【０１０８】
このとき店頭端末１１は、携帯電話３０からの位置ＩＤ情報の要求を受けて、店頭端末１１に割り当てられた位置ＩＤ情報を赤外線ポートから発信し、携帯電話３０のアプリケーションソフトに位置ＩＤ情報を送信し、一時的に書き込まれる（ステップ１−９）。
【０１０９】
位置ＩＤ情報が表示された携帯電話３０は、無人店舗１の販売商品リストを要求するために、位置ＩＤ情報を受信した状態でインターネットに接続して、ＥＣサーバ４１にアクセスする（ステップ１−１０）。
【０１１０】
ここで図５には、携帯電話３０の販売商品リスト要求画面例を示したものである。
【０１１１】
図５に示す販売商品リスト要求画面例では、店頭端末１１で販売する商品リストを取得するために、インターネットへの接続を確認する画面となっている。
【０１１２】
従って利用者は、店頭端末１１で販売されている商品を、商品リストを用いて確認することができるようになっている。
【０１１３】
利用者が商品リストの確認画面をみて、“はい”を選択すると、ＥＣサーバ４１は、利用者が購入できる無人店舗１の販売商品リストを利用者の携帯電話３０にダウンロードし（ステップ１−１１）、図７のステップ１−Ａへ移動する。
【０１１４】
図６には、店頭端末１１の販売商品リストに関する携帯電話３０の画面例を示す。
【０１１５】
図６に示す販売商品リストの画面例では、Ａチームのグッズが各種販売されていることを示している。
【０１１６】
次に図７を参照すると、図７は、図３からの続きを示したものである。
【０１１７】
ここで利用者は、ＥＣサーバ４１から販売商品リストを取得して、利用者の携帯電話３０に表示された販売商品リストから購入したい商品を選択することができる（ステップ１−１２）。
【０１１８】
また利用者は、購入したい商品を選択すると共に、その販売商品の商品受取店舗情報を要求することができるようになっている。
【０１１９】
図８は、ＥＣサーバ４１上において、利用者が商品を選択した際に、商品を受け取ることができる店舗名をまとめた商品受取店舗リストを示したものである。
【０１２０】
図８に示す商品受取店舗リストの画面例では、店頭端末毎に販売される商品と、購入した商品を受け取る最寄店舗が表示されるようになっている。
【０１２１】
例えば、ここでは利用者がＥチョコレートを選択したとすると、ＥＣサーバ４１は、利用者から購入したい商品（つまり、Ｅチョコレート）の情報を取得すると、この商品受取店舗リストから該当商品の最寄り店舗及び購入ＩＤ情報を携帯電話３０へ送信する（ステップ１−１３）。
【０１２２】
このとき利用者は、携帯電話３０によって購入した商品（つまり、Ｅチョコレート）の最寄店舗及び購入ＩＤ情報を取得するようになっている。
【０１２３】
図９には、購入ＩＤ情報と最寄り店舗（図９では、Ｘ店）とを示した商品購入案内情報の携帯電話画面例を示す。
【０１２４】
利用者は、図９に示す携帯電話３０において、商品受取店舗を確認して決定することにより、商品購入案内情報をＥＣサーバ４１へ送信すると共に、携帯電話３０のアプリケーションソフトには、購入ＩＤ情報が記された購入データファイルが一時的に追加される（ステップ１−１４）。
【０１２５】
ＥＣサーバ４１では、携帯電話３０から送信される商品購入案内情報を受信すると、販売商品情報、商品受取店舗情報、購入ＩＤ情報を含む商品販売データをデータベースに登録して、これらの情報を管理している（ステップ１−１５）。
【０１２６】
以上のように利用者は、携帯電話３０と、インターネットを介したＥＣサーバとが通信を行うことにより、店頭端末１１で販売している販売商品を購入することができる。
【０１２７】
また、利用者は、無人店舗２で販売商品を選択して、購入を希望する商品の購入が完了するまでは、ステップ１−８からステップ１−１５の操作が、繰り返し実行されるようになっている。これにより、無人店舗２において、利用者は複数の商品を購入することができる。
【０１２８】
また複数の無人店舗（例えば、無人店舗１或いは無人店舗２など）が存在する場合には、無人店舗１の店頭端末１１の赤外線ポートに設定されている位置ＩＤ情報と、無人店舗２の店頭端末１２の赤外線ポートに設定されている位置ＩＤ情報とが異なるため、ステップ１−５において、コンテンツサーバ４４から無人店舗２の店頭端末１２に対して、店頭端末１１とは異なる店頭端末１２用のコンテンツが配信され、ステップ１−７の結果、ＥＣサーバ４１では図４に示される店頭端末１２の販売商品リスト情報が、利用者の携帯電話３０へ提供される。
【０１２９】
従って、利用者は、無人店舗１におけるステップ１−８からステップ１−１５の操作を行った後、引き続き、無人店舗２へ移動して無人店舗２でも同様に、ステップ１−８からステップ１−１５の操作を実行することによって、異なった販売業者の商品を選択して購入することができる。
【０１３０】
次に、利用者は、指定された最寄り店舗において、購入した商品を入手するために携帯電話３０のアプリケーションソフトを起動して、購入データファイル画面を開いた状態で、携帯電話３０の赤外線ポートを有人店舗３の認証端末２０にある赤外線アダプタ２１に向けて、認証端末２０から１ｍ以内の地点でファイル送信を実行すると、購入ＩＤ情報が認証端末２０へ送信される（ステップ１−１６）。
【０１３１】
このときの携帯電話３０の画面を、赤外線通信利用時の携帯電話画面例として図１０に示す。
【０１３２】
認証端末２０は、有人店舗３の情報と購入ＩＤ情報とを含むデータを、サービス提供者４の備えるＥＣサーバ４１経由でデータベース４２へ送信するようになっている（ステップ１−１７）。
【０１３３】
データベース４２では、ステップ１−１５で登録された商品販売データを検索し、利用者が購入した商品と認証端末２０から送信されたデータとを照合し、購入ＩＤ情報などの登録されているデータが同一であれば、利用者が販売商品の購入者であると確認されて、利用者の商品購入を確定する（ステップ１−１８）。また、データベース４２は、利用者の登録されているデータが照合された旨をＥＣサーバ４１へ通知する。
【０１３４】
ＥＣサーバ４１は、データベース４２から照合された旨の通知を受け取ると、販売商品情報を含む商品販売データを、有人店舗３の認証端末２０へ送信する（ステップ１−１９）。
【０１３５】
このとき認証端末２０では、ＥＣサーバ４１から販売商品情報を含む商品販売データを受信することによって認証が完了し、販売決済が実行され、商品代引きとして利用者が購入した商品を提供する（ステップ１−２０）。
【０１３６】
これにより、本発明に係る商品販売システムは、利用者に商品を引き渡すことによって終了となる。
【０１３７】
以上のように、本発明によれば、第１の効果は、利用者が携帯電話の赤外線通信機能を利用して無人店舗の位置情報を取得し、位置情報に関連付けられた販売商品リストをもとにその場でインターネットから購入することができ、利用者が指定された最寄りの有人店舗において携帯電話の赤外線通信機能を利用した本人認証によって決済ができる点である。
【０１３８】
第２の効果は、実際の商品を販売している店舗やイベント業者がサービス提供者の商品販売システムに参加することによって、店舗スペース費、人件費、商品仕入れ・運送費など出店するためのコストや流通コストの削減もできることである。
【０１３９】
第３の効果は、店頭端末から位置ＩＤ情報を入手してインターネットから商品購入するだけなので、実際の販売店のように混雑している行列に並ぶことや、現金の受け渡しをする必要がなく、イベントの合間や休憩中や移動中に利用者は携帯電話を操作するだけでよい点である。
【０１４０】
第４の効果は、データベースから利用者が購入要求した日時、商品項目、数量、販売価格、店頭端末位置、有人店舗位置の各情報から店頭端末位置や販売商品の分析ができることである。
【０１４１】
第５の効果は、常時同じ商品を販売するものではなく、店頭端末が設置される場所に応じて販売商品を変えることができる点である。また固定位置に設置されても、施設におけるイベント内容に応じて販売商品も変えることができ、第２の効果である商品の移動が伴わないため商品の搬入等に係る経費を削減して相乗効果を得ることができるので、より一層低コストで効率良く商品を販売することができる。
（第２の実施の形態）
他の実施の形態として、商品販売業者が、スポーツ施設などにおいて、スポーツ選手やチームの関連商品を販売するときに、携帯電話を利用して観客向けの商品販売サービスであり、第２の実施例として図１１に商品販売の利用イメージ図を示す。
【０１４２】
図１１では店頭端末１１において、焼酎を販売している。これは複数設置された店頭端末の各位置情報をもとに、店頭端末毎の商品販売を可能になるので、複数の異なる販売業者が同一の商品販売システムを利用して、複数の異なる商品の販売サービスが提供される例を示している。
【０１４３】
なお第２の実施の形態では、第１の実施の形態で示した店頭端末１１を複数台設置したことを特徴としているので、基本的構成は、第１の実施の形態と同様であり省略する。
（第３の実施の形態）
上述の実施の形態では、利用者自身が移動する場所に応じて、商品情報が提供されるようになっていたが、第３の実施の形態では、利用者が乗物に乗車して移動した場合、例えば、車内に設けられた店頭端末を利用して商品販売するサービスを提供するようになっている。
【０１４４】
本発明を適用した第３の実施の形態では、利用者が移動する場所に応じて商品情報を提供をすることを利用して、利用者が乗物に乗車して移動する場合には、乗物が移動するごとに車内に設置された店頭端末の位置情報をＧＰＳによって位置管理され、各停車地点での商品情報を提供するように設定することができる。
（第３の実施例）
第３の実施の形態を表した第３の実施例の利用イメージ図を、第３の実施例として図１２に示す。
【０１４５】
第３の実施例では、列車やバスの車内において、交通、旅行サービス事業者や商品販売業者が、行き先の特産物や土産物などを販売することができない状況や、商品の仕入れコストや人による販売コストを削減する必要がある場合など、店頭端末が移動する場所に関連して商品の情報案内を自動的に行ない、利用者が携帯電話から商品を購入すると、降車地点にて受取店舗案内や商品の提供や決済をする商品販売システムが利用できる。
【０１４６】
ここで第１の実施の形態と対比すると、店頭端末１１が列車やバスなどの乗物の移動体に設置され、メモリカードの代わりにＧＰＳ受信機を利用して店頭端末１１の位置情報を受信するとともに、現在の店頭端末１１の位置情報を、インターネット経由で位置管理サーバ４３へ送信する機能を有することにより実現することができる。
【０１４７】
更に店頭端末１１が乗物などの移動体に設置されたことを利用して、店頭端末１１のＧＰＳ情報から、駅などに設置された無線ＬＡＮアクセスポイントの位置情報が一致したときに、駅で停車中の乗物の店頭端末１１へ商品紹介コンテンツのデータを、インターネット経由で配信したり、更新することができる。
【０１４８】
この場合の商品販売システムを図１３に示す。図１３において、上述の第１の実施の形態と異なる点は、無線ＬＡＮアダプタ５２と店頭端末５１と携帯電話３０とを備えた乗物５を有している点である。
【０１４９】
図１３の商品販売システムでは、サービス提供者４の備えるコンテンツサーバ４４から駅６に設置してある無線ＬＡＮアクセスポイント６０経由して、乗物５の店頭端末５１に対して駅６で販売している商品紹介コンテンツのデータを、配信するようになっている。
【０１５０】
店頭端末５１には、ＧＰＳ受信機が備えられており、店頭端末５１のＧＰＳ情報が位置管理サーバ４３でモニタされる。
【０１５１】
無線ＬＡＮアクセスポイント６０の位置情報が、乗物５と共に移動する店頭端末５１の位置情報と一致したときには、店頭端末５１の位置情報がコンテンツサーバ４４へ送信され、商品紹介コンテンツが、インターネットを利用して乗物５内の店頭端末５１へ、駅６と乗物５との間の無線ＬＡＮ経由で配信される。
【０１５２】
商品紹介コンテンツのデータは、店頭端末５１のメモリにダウンロードされ、表示スケジュール管理のもと定期的に表示される。店頭端末５１は、ＧＰＳ情報を無線ＬＡＮアダプタ５２から無線ＬＡＮアクセスポイント６０経由でサービス提供者４の備える位置管理サーバ４３へ送信しているため、乗物５が駅６から離れると通信は遮断される。
【０１５３】
また駅７の無線ＬＡＮアクセスポイント７０では、店頭端末５１がインターネットに接続できるようになると、再度、店頭端末５１のＧＰＳ情報が位置管理サーバ４３へ送信され、店頭端末５１の位置情報は各駅で位置管理サーバ４３によってモニタされる。
【０１５４】
また、乗物５内の店頭端末５１に表示される商品紹介コンテンツも、駅７で販売している商品紹介のコンテンツに変更されて、店頭端末５１に表示される。
【０１５５】
そして、第１の実施例のステップ１−１からステップ１−４の動作のように、利用者はあらかじめ商品販売サービスの携帯サイトからアプリケーションソフトをダウンロードして、利用者が商品の内容について興味を持ち購買意欲が出てくると、携帯電話３０でアプリケーションソフトを起動し、携帯電話３０の赤外線通信機能を利用して乗物５の位置ＩＤ情報を受信する。
【０１５６】
店頭端末５１の位置情報は、位置管理サーバ４３によって集中管理されているので、携帯電話３０が乗物５の位置ＩＤ情報を受信した状態で、携帯電話３０からインターネットに接続してサービス提供者４の備えるＥＣサーバ４１にアクセスすると、乗物５が停車した駅６の販売商品リストが、ＥＣサーバ４１から携帯電話３０にダウンロードされる。
【０１５７】
これは、店頭端末５１のＧＰＳ情報により、位置管理サーバ４３から店頭端末５１の位置情報がコンテンツサーバ４４へ送られると、コンテンツサーバ４４は、乗物５が停車したときの無線ＬＡＮアクセスポイント６０である駅６の商品リストを、ＥＣサーバ４１へ送信するからである。
【０１５８】
ここで図１４には、ＥＣサーバ４１における各駅の店頭端末販売商品リストの画面例を示す。乗物５が駅６から離れて移動中の場合は、携帯網経由でのインターネット接続が利用されるときは駅６の販売商品リストがダウンロードされる。
【０１５９】
また、駅６の販売商品リストの中から購入したい商品が選択されて、認証端末２０での決済が実行されまでは、第１の実施例のステップ１−１２からステップ１−２０と同一の動作を行う。
【０１６０】
ここで駅が複数箇所存在する場合には、駅６に続いて駅７においても同じ携帯電話３０を利用して、同様に位置ＩＤ情報を受信してインターネット経由でＥＣサーバ４１へ接続することにより、ＥＣサーバ４１は店頭端末５１で販売される商品リストの変更を認識し、ＥＣサーバ４１から駅７の販売商品リストが携帯電話３０へ送信され、駅６とは異なった駅７の商品を乗物５の車内で販売される。
【０１６１】
これは店頭端末５１のＧＰＳ情報の変更にともない、インターネットに接続される無線ＬＡＮアクセスポイント７０が変わるので、店頭端末５１の位置情報の変更情報が位置管理サーバ４３へ送信され、ＥＣサーバ４１が店頭端末５１の販売商品リストを変更するためである。
【０１６２】
第３の実施の形態によれば、店頭端末５１を車内に設けて移動させることにより、その場（第３の実施例では駅）に応じたコンテンツを提供することができるので、移動した場所に関するコンテンツや販売商品に変えることができる。
【０１６３】
以上の第１から第３の実施の形態では、携帯電話３０に設けられた赤外線通信により、商品を購入するようになされていたが、本発明は赤外線通信に限定されるものではなく、Ｂｌｕｅｔｏｏｔｈ、或いはＺｉｇＢｅｅなどの無線通信による通信方式を用いて、商品の購入や認証を行うようにしても良い。
【図面の簡単な説明】
【０１６４】
【図１】本発明を実施するための第１の実施の形態における商品販売システムを示すブロック図である。
【図２】本発明を実施するための第１の実施の形態における店頭端末を構成するブロック図である。
【図３】本発明を実施するための第１の実施例における流れ図である。
【図４】本発明を実施するための第１の実施例における販売商品リスト画面例である。
【図５】本発明を実施するための第１の実施例における販売商品リスト要求画面例である。
【図６】本発明を実施するための第１の実施例における販売商品リストに関する携帯電話の画面例である。
【図７】本発明を実施するための第１の実施例における流れ図の続きである。
【図８】本発明を実施するための第１の実施例における商品受取店舗リストを示したものである。
【図９】本発明を実施するための第１の実施例における商品購入案内情報の携帯電話の画面例である。
【図１０】本発明を実施するための第１の実施例における赤外線通信利用時の携帯電話画面例を示したものである。
【図１１】本発明を実施するための第２の実施例における利用イメージ図である。
【図１２】本発明を実施するための第３の実施例における利用イメージ図である。
【図１３】本発明を実施するための第３の実施の形態における商品販売システムを示すブロック図である。
【図１４】本発明を実施するための第３の実施例における店頭端末販売商品リストの画面例である。
【符号の説明】
【０１６５】
１  無人店舗
２  無人店舗
３  有人店舗
４  サービス提供者
５  乗物
６  駅
７  駅
１１  店頭端末
１２  店頭端末
２０  認証端末
２１  赤外線アダプタ
３０  携帯電話
４０  ＷＷＷサーバ
４１  ＥＣサーバ
４２  データベース
４３  位置管理サーバ
４４  コンテンツサーバ
５１  店頭端末
５２  無線ＬＡＮアダプタ
６０  無線ＬＡＮアクセスポイント
７０  無線ＬＡＮアクセスポイント
１００  通信制御
１０１  画像表示
１０２  ＣＰＵ
１０３  赤外線制御
１０４  赤外線ポート
１０５  メモリ制御
【図１】
2007328422.tif 000003
【図２】
2007328422.tif 000004
【図３】
2007328422.tif 000005
【図４】
2007328422.tif 000006
【図５】
2007328422.tif 000007
【図６】
2007328422.tif 000008
【図７】
2007328422.tif 000009
【図８】
2007328422.tif 000010
【図９】
2007328422.tif 000011
【図１０】
2007328422.tif 000012
【図１１】
2007328422.tif 000013
【図１２】
2007328422.tif 000014
【図１３】
2007328422.tif 000015
【図１４】
2007328422.tif 000016